(57)【要約】【課題】  指先でも容易にＩＣチップを破壊し、情報が不法にアクセスまたは漏洩されるのを防止できる無線ＩＤタグを提供する。【解決手段】  基板１と、基板１上に形成されたアンテナ２と、アンテナ２にバンプ５を介して接続されたＩＣチップ４とを備え、ＩＣチップ４がアンテナ２に対向する面にＩＣチップ４の平面積より大きい面積で平板状をなすチップ破断用部材３を接着し、チップ破断用部材３がＩＣチップ４に接着された面と反対の面にはＶ字溝状のチップ破断用切り込み３１を形成する。【選択図】図２
2007241374.tif 000002
【特許請求の範囲】
【請求項１】
基板と、前記基板上に形成されたアンテナと、前記アンテナにバンプを介して接続されたＩＣチップとを有する無線ＩＤタグにおいて、
前記ＩＣチップが前記アンテナに対向する面に前記ＩＣチップの平面積より大きい面積のチップ破断用部材が接着され、
前記チップ破断用部材が前記ＩＣチップに接着された面と反対の面にチップ破断用切り込みが形成されている、
ことを特徴とする無線ＩＤタグ。
【請求項２】
基板と、前記基板上に形成されたアンテナと、前記アンテナにバンプを介して接続されたＩＣチップとを有する無線ＩＤタグにおいて、
前記ＩＣチップが前記アンテナに対向する面と反対の面に前記ＩＣチップの平面積より大きい面積のチップ破断用部材が接着され、
前記チップ破断用部材が前記ＩＣチップに接着された面と反対の面にチップ破断用切り込みが形成されている、
ことを特徴とする無線ＩＤタグ。
【請求項３】
前記基板及び前記チップ破断用部材は誘電材で成形されていることを特徴とする請求項１または２記載の無線ＩＤタグ。
【請求項４】
前記バンプと対応する前記チップ破断用部材の箇所には前記バンプの径と同等もしくは該径より大きい径の穴が形成され、前記バンプは前記穴を通して前記アンテナと前記ＩＣチップとの間で延在していることを特徴とする請求項１記載の無線ＩＤタグ。
【請求項５】
前記チップ破断用切り込みはＶ字溝を呈し、該チップ破断用切り込みは、前記ＩＣチップが平面内で二分される方向に延在していることを特徴とする請求項１または２記載の無線ＩＤタグ。
【請求項６】
前記チップ破断用部材の周縁部を前記基板上で支持する誘電材からなる支持部材を備え、前記支持部材は前記基板に対し分離可能に構成されていることを特徴とする請求項２記載の無線ＩＤタグ。
【請求項７】
前記支持部材は前記ＩＣチップを囲むように配置されていることを特徴とする請求項６記載の無線ＩＤタグ。
【請求項８】
前記支持部材は該支持部材に形成した切り込み線により前記前記チップ破断用部材および前記基板に対して分離される中間部分を有していることを特徴とする請求項６または７記載の無線ＩＤタグ。
【発明の詳細な説明】
【技術分野】
【０００１】
本発明は、自身の情報を無線によって発信することが可能な無線ＩＤ（Radio Frequency Identification）タグに関し、さらに詳しくは、タグ内蔵のＩＣチップを容易に破壊できるようにした無線ＩＤタグに関する。
【背景技術】
【０００２】
近年、無線ＩＤタグは流通においてトレーサビリティーの確認や荷物の仕分け、店舗において商品の在庫管理や商品の確認、一般では交通機関や店舗での料金支払い等、様々な状況で使用されるようになってきた。また中には、電子パスポートのようにバイオメトリクス情報やデジタル写真のような個人情報を記録したＩＣチップを内蔵するものまである。多くの場所で使用され始めた無線ＩＤタグだが、プライバシーやセキュリティの保護と言う観点では、一般的な無線ＩＤタグは何も対策が採られていない。また、高いセキュリティを要する電子パスポートのようなものでは、ＢＡＣ（Basic Access Control）と言われるセキュリティ機能が実装されている（例えば特許文献１参照）。しかし、これはソフト的な方法である。このようなソフト的なセキュリティ機能では、これが回避されたとき、ＩＣチップから情報が洩れてしまう可能性がある。
【特許文献１】特開２００５−３４８３０６号公報
【発明の開示】
【発明が解決しようとする課題】
【０００３】
無線ＩＤタグは、非接触通信であるために本人の意図しないときに通信が行われる可能性がある。これは、自分の気が付かないところで、他人から自分の所持している無線ＩＤタグにアクセスされ、ＩＣチップから情報が洩れている可能性があるということである。また、ソフトウェアでセキュリティの保護を行っているものもでは、自らの意思で盗聴を防止するものでないため、実際に情報が洩れたときに気が付くことができない。
【０００４】
このように無線ＩＤタグから情報が洩れるような問題を解決するには、無線ＩＤタグを所持するものの意思で無線ＩＤタグの通信を物理的に制御する必要がある。その方法の１つとして、無線ＩＤタグに含まれるＩＣチップを完全に破壊してしまう方法がある。しかし、ＩＣチップの大きさは１mm角ととても小さく、ＩＣチップを容易に指先で壊すことはできない。
そこで、本発明は、指先でも容易にＩＣチップを破壊し、情報が不法にアクセスまたは漏洩されるのを防止できる無線ＩＤタグを提供することを目的とする。
【課題を解決するための手段】
【０００５】
上記目的を達成するために請求項１の発明は、基板と、前記基板上に形成されたアンテナと、前記アンテナにバンプを介して接続されたＩＣチップとを有する無線ＩＤタグにおいて、前記ＩＣチップが前記アンテナに対向する面に前記ＩＣチップの平面積より大きい面積のチップ破断用部材が接着され、前記チップ破断用部材が前記ＩＣチップに接着された面と反対の面にチップ破断用切り込みが形成されていることを特徴とする。
【０００６】
また、請求項２の発明は、基板と、前記基板上に形成されたアンテナと、前記アンテナにバンプを介して接続されたＩＣチップとを有する無線ＩＤタグにおいて、前記ＩＣチップが前記アンテナに対向する面と反対の面に前記ＩＣチップの平面積より大きい面積のチップ破断用部材が接着され、前記チップ破断用部材が前記ＩＣチップに接着された面と反対の面にチップ破断用切り込みが形成されていることを特徴とする。
【０００７】
請求項３の発明は、請求項１または２記載の無線ＩＤタグにおいて、前記基板及び前記チップ破断用部材は誘電材で成形されていることを特徴とする。
請求項４の発明は、請求項１記載の無線ＩＤタグにおいて、前記バンプと対応する前記チップ破断用部材の箇所には前記バンプの径と同等もしくは該径より大きい径の穴が形成され、前記バンプは前記穴を通して前記アンテナと前記ＩＣチップとの間で延在していることを特徴とする。
請求項５の発明は、請求項１または２記載の無線ＩＤタグにおいて、前記チップ破断用切り込みはＶ字溝を呈し、該チップ破断用切り込みは、前記ＩＣチップが平面内で二分される方向に延在していることを特徴とする。
【０００８】
請求項６の発明は、請求項２記載の無線ＩＤタグにおいて、前記チップ破断用部材の周縁部を前記基板上で支持する誘電材からなる支持部材を備え、前記支持部材は前記基板に対し分離可能に構成されていることを特徴とする。
請求項７の発明は、請求項６記載の無線ＩＤタグ前記支持部材は前記ＩＣチップを囲むように配置されていることを特徴とする。
請求項８の発明は、請求項６または７記載の無線ＩＤタグにおいて、前記支持部材は該支持部材に形成した切り込み線により前記前記チップ破断用部材および前記基板に対して分離される中間部分を有していることを特徴とする。
【発明の効果】
【０００９】
本発明の無線ＩＤタグによれば、ＩＣチップの一方の面にチップ破断用切り込み付きのチップ破断用部材を接着したので、ＩＣチップを含めた基板全体をチップ破断用切り込みに沿い２つ折りになるように折り曲げるだけで、ＩＣチップをチップ破断用部材ごと容易に破断することができる。これにより、無線ＩＤタグを持つ人自身が無線ＩＤタグ内のＩＣチップを破壊でき、予期しない無線ＩＤタグとの不法なアクセス及びこれに伴う情報の不法な漏洩を未然に防ぐことができる。
【００１０】
また、本発明によれば、チップ破断用部材の周縁部を支持部材により基板上で支持するようにしたので、ＩＣチップが不用意に破壊されるのを防止できる。
また、本発明によれば、支持部材は基板に対し分離可能に構成されているため、支持部材を基板から分離することによりＩＣチップを容易に破壊することができ、不法なアクセスによる情報の洩れを未然に防止できる。
【発明を実施するための最良の形態】
【００１１】
以下、本発明にかかる無線ＩＤタグの実施の形態について図面を参照して説明する。なお、本発明にかかる無線ＩＤタグは、以下に説明する実施例に限定されるものではない。
【００１２】
（実施の形態１）
図１は本実施の形態１における無線ＩＤタグの平面図、図２は図１に示す無線ＩＤタグの要部を拡大して示す縦断側面図である。
図１及び図２において、無線ＩＤタグ１０は、誘電材からなる平板状の基板１と、この基板１上に形成されたアンテナ２と、基板１の中央部２に配置されアンテナ２にバンプ５を介して接続されたＩＣチップ４とを備える。また、ＩＣチップ４がアンテナ２に対向する面には、ＩＣチップ４の平面積より大きい面積で平板状をなすチップ破断用部材３が接着されており、さらに、チップ破断用部材３がＩＣチップ４に接着された面と反対の面にはＶ字溝状のチップ破断用切り込み３１が形成されている。
前記チップ破断用部材３は誘電材から成形され、そして、チップ破断用切り込み３１はＩＣチップ４が平面内で左右に二分されるようにＩＣチップ４の左右方向と直交する方向に延在している。
また、バンプ５と対応するチップ破断用部材３の箇所には、バンプ５の径と同等もしくは該径より大きい径の穴３ａが形成され、バンプ５は穴３ａを通してアンテナ２とＩＣチップ４との間で延在している。
【００１３】
このような本実施の形態１に示す無線ＩＤタグ１０においては、ＩＣチップ４がアンテナ２と対向する面にチップ破断用切り込み３１付きのチップ破断用部材３を接着させた構造になっているため、チップ破断用部材３及びＩＣチップ４を含めた基板１全体をチップ破断用切り込み３１に沿い、例えばＩＣチップ４側が逆Ｖ字となる２つ折り状態に折り曲げることが可能になる。その結果、ＩＣチップ４が1mm角程度の小さなものであっても、これをチップ破断用部材３ごと容易に破断することができる。これにより、無線ＩＤタグ１０を持つ人自身が必要に応じて無線ＩＤタグ内のＩＣチップ４を破壊でき、予期しない無線ＩＤタグへの不法なアクセス及びこれに伴う情報の不法な漏洩を未然に防ぐことができる。
【００１４】
（実施の形態２）
図３は本実施の形態２における無線ＩＤタグの要部を拡大して示す縦断側面図である。
図３において、無線ＩＤタグ１０は、誘電材からなる平板状の基板１と、この基板１上に形成されたアンテナ２と、基板１の中央部２に配置されアンテナ２にバンプ５を介して接続されたＩＣチップ４とを備える。また、ＩＣチップ４がアンテナ２に対向する面と反対の面には、ＩＣチップ４の平面積より大きい面積で平板状をなすチップ破断用部材８が接着されており、さらに、チップ破断用部材８がＩＣチップ４に接着された面と反対の面にはＶ字溝状のチップ破断用切り込み８１が形成されている。
前記チップ破断用部材８は誘電材から成形され、そして、チップ破断用切り込み８１はＩＣチップ４が平面内で左右に二分されるようにＩＣチップ４の左右方向と直交する方向に延在している。
【００１５】
このような本実施の形態２に示す無線ＩＤタグ１０においては、ＩＣチップ４がアンテナ２と対向する面と反対の面にチップ破断用切り込み８１付きのチップ破断用部材８を接着させた構造になっているため、チップ破断用部材８及びＩＣチップ４を含めた基板１全体をチップ破断用切り込み８１に沿い、例えばＩＣチップ４側がＶ字状となる２つ折り状態に折り曲げることが可能になる。その結果、ＩＣチップ４が１mm角程度の小さなものであっても、これをチップ破断用部材８ごと容易に破断することができる。これにより、無線ＩＤタグを持つ人自身が必要に応じて無線ＩＤタグ内のＩＣチップ４を破壊でき、予期しない無線ＩＤタグ１０への不法なアクセス及びこれに伴う情報の不法な漏洩を未然に防ぐことができる。
【００１６】
（実施の形態３）
図４は本実施の形態３における無線ＩＤタグの要部を拡大して示す縦断側面図である。
図４において、無線ＩＤタグ１０は、誘電材からなる平板状の基板１と、この基板１上に形成されたアンテナ２と、基板１の中央部２に配置されアンテナ２にバンプ５を介して接続されたＩＣチップ４とを備える。また、ＩＣチップ４がアンテナ２に対向する面と反対の面には、ＩＣチップ４の平面積より大きい面積で平板状をなすチップ破断用部材８が接着されており、さらに、チップ破断用部材８がＩＣチップ４に接着された面と反対の面にはＶ字溝状のチップ破断用切り込み８１が形成されている。
前記チップ破断用部材８は誘電材から成形され、そして、チップ破断用切り込み８１はＩＣチップ４が平面内で左右に二分されるようにＩＣチップ４の左右方向と直交する方向に延在している。
【００１７】
また、本実施の形態３における無線ＩＤタグ１０は、チップ破断用部材８の周縁部を基板１上で支持する誘電材からなる支持部材６を備え、この支持部材６はＩＣチップ４を囲むように配置されている。さらに、支持部材６は、これに形成した切り込み線６ａによりチップ破断用部材８および基板１に対して分離される中間部分６１を有し、この中間部分６１には、これを切り込み線６ａに沿って分離するための摘み片７が設けられている。
【００１８】
このような本実施の形態３に示す無線ＩＤタグ１０において、ＩＣチップ４を破断する場合は、まず、摘み片７を引っ張ることにより、中間部分６１を切り込み線６ａに沿って切り離す。その後、チップ破断用部材８及びＩＣチップ４を含めた基板１全体をチップ破断用切り込み８１に沿い、例えばＩＣチップ４側がＶ字の谷状となる２つ折り状態に折り曲げる。これにより、ＩＣチップ４が１mm角程度の小さなものであっても、これをチップ破断用部材８ごと容易に破断することができる。これにより、無線ＩＤタグを持つ人自身が必要に応じて無線ＩＤタグ内のＩＣチップ４を破壊でき、予期しない無線ＩＤタグ１０との不法なアクセス及びこれに伴う情報の不法な漏洩を未然に防ぐことができる。
また、本実施の形態３によれば、チップ破断用部材８の周縁部を支持部材６により基板１上で支持するようにしたので、ＩＣチップ４が不用意に破壊されるのを防止することができる。
【図面の簡単な説明】
【００１９】
【図１】本実施の形態１における無線ＩＤタグの平面図である。
【図２】図１に示す無線ＩＤタグの要部を拡大して示す縦断側面図である。
【図３】本実施の形態２における無線ＩＤタグの要部を拡大して示す縦断側面図である。
【図４】本実施の形態３における無線ＩＤタグの要部を拡大して示す縦断側面図である。
【符号の説明】
【００２０】
１……基板、２……アンテナ、３……チップ破断用部材、３１……チップ破断用切り込み、４……ＩＣチップ、５……バンプ、６……支持部材、６ａ……切り込み線、６１……中間部分、７……摘み片、８……チップ破断用部材、８１……チップ破断用切り込み。
【図１】
2007241374.tif 000003
【図２】
2007241374.tif 000004
【図３】
2007241374.tif 000005
【図４】
2007241374.tif 000006